(57)【要約】      （修正有）【課題】ピアノ線を用いた緊張部材の現場作業において、切断等の原因で飛散してそれが人及び他の構造物に当って人身事故及び破損事故が発生することを、その飛散を途中で効果的に受け止めて事故の発生を防止する土木建築用安全防護マットを提供する。【解決手段】１５ｍｍ厚みの発泡ポリエチレンの発泡樹脂層Ａ１を４層設け、発泡樹脂層Ａ１の間に２方向アラミド繊維による織布シート１０枚を重ねて４ｍｍ厚みとした１層の織布層Ｂ１と、樹脂強化紙を１５枚重ねて束ねた３ｍｍ厚みの捕捉紙層Ｃ１を２層積層して、これをＰＶＣカバーの包装シートＨ１で包被する。【選択図】図１
0003205923.tif 000002
【実用新案登録請求の範囲】
【請求項１】
同じ平面形状をした１０ｍｍ以上の厚みの発泡ポリエチレンの発泡樹脂層とアラミド繊維又は炭素繊維を使用した織布を少なくとも５枚以上重ねた織布層との積層体を防炎防水性の包装シートで包被した、土木建築用安全防護マット。
【請求項２】
前記織布層の織布が２方向アラミド繊維の織布である、請求項１記載の土木建築用安全防護マット。
【請求項３】
前記織布層が複数層あって、その厚みの合計厚みが３ｍｍ以上である、請求項１又は２記載の土木建築用安全防護マット。
【請求項４】
前記発泡樹脂層の一層の厚みを１３ｍｍ以上とし、それを４層以上使用し、又前記織布層としてアラミド繊維のシートを１０枚以上重ねたものを使用した、請求項１〜３いずれか記載の土木建築用安全防護マット。
【請求項５】
前記積層体に、樹脂強化紙を１５枚以上束ねた捕捉紙層Ｃを１層又は複数層間装した、請求項１〜４いずれか記載の土木建築用安全防護マット。
【請求項６】
前記積層体中に、アルミ・鋼又はそれらを表面加工したエキスパンドメタル板を１枚又は複数枚間装した、請求項１〜５いずれか記載の土木建築用安全防護マット。
【請求項７】
包装シートが紙繊維を使用した防炎防水紙又は防炎防水のポリ塩化ビニールシートである、請求項１〜６いずれか記載の土木建築用安全防護マット。
【請求項８】
請求項１〜７いずれか記載の土木建築用安全防護マットを、ピアノ線を用いた緊張部材の飛散予想方向の現場空間位置に仮設した、緊張部材飛散に対する事故防止対策構造。
【考案の詳細な説明】
【技術分野】
【０００１】
本考案は、大型橋体、大型陸上構造物で強い緊張力又は引張力が常時負荷されている土木建築部材、例えばピアノ線を束ねた構造体の一部となる緊張部材の新設・補修・交換・点検工事において、緊張部材が切断・破断等の何らかの原因でその強い緊張力によって所定配置位置から飛び出して、他の構造物・人に当って重大事故となることを防止するため、それら緊張部材の飛び出しを他の構造物・人に当る前に受止・捕捉して事故を防止する安全防護マットである。
【０００２】
又、これら緊張部材以外の工事で、重量物又は構造物部品あるいはガラス体等の飛散・落下を防止し、工事関係者・通行者の事故及び他の構造体の破損事故を防止することにも利用できる安全防護マットである。更に、火薬を使うトンネル工事・土木工事におけるその火薬爆発における岩石・破砕石片・コンクリート片・アスファルト片等の飛散から家屋・建設機械・人を保護するマット状の安全防護マットとしても使用でき、これら飛散物・落下物を受止・捕捉する技術に関する。
【背景技術】
【０００３】
従来、この種の構造体の緊張部材の工事において、発泡ポリエチレンの発泡樹脂層と樹脂強化紙を多数枚重ねた捕捉紙層を複数間装させ、それらを防炎防水性の包装シートで包被した安全防護マットが使用されてきた。
【０００４】
しかしながら、この従来の安全防護マットではきわめて強い引張力が作用するピアノ線を用いた橋の緊張部材の破断等による飛び出しを防止するために使用されても、毎秒４０ｍを超える飛び出す緊張部材を串刺し状態で捕捉することが難しく、マットを貫通してしまうものであった。又は、マットを貫通しないようにするためには捕捉紙層をきわめて厚いものにしなくてはならない。
【０００５】
又、プラスチック製細薄帯体２を縦横に織った織布を紙間に挿入し、これらを一体的に接合した貫通防止シートを２０枚一組にして、厚みのある発泡樹脂ボードで連結して、防水性袋に封入したＰＣ鋼棒緊張作業用防護板を本出願人は開発した。これは、特許文献１（実用新案登録第３０１３１１７号）で知られている。
【０００６】
しかしながら、より高い緊張のＰＣ鋼棒の貫通力を確実に阻止することが求められている。
【先行技術文献】
【特許文献】
【０００７】
【特許文献１】実用新案登録第３０１３１１７号公報
【考案の概要】
【考案が解決しようとする課題】
【０００８】
本考案は、従来のかかる課題を解消し、土木建築の緊張部材の飛散を途中で確実に刺し止めて、貫通しないようにして飛散・飛び出しを強く防止し、より安全性を高めた土木建築用安全防護マットを提供することにある。
【課題を解決するための手段】
【０００９】
かかる課題を解決した本考案の構成は、
１）  同じ平面形状をした１０ｍｍ以上の厚みの発泡ポリエチレンの発泡樹脂層とアラミド繊維又は炭素繊維を使用した織布を少なくとも５枚以上重ねた織布層との積層体を防炎防水性の包装シートで包被した、土木建築用安全防護マット
２）  前記織布層の織布が２方向アラミド繊維の織布である、前記１）記載の土木建築用安全防護マット
３）  前記織布層が複数層あって、その厚みの合計厚みが３ｍｍ以上である、前記１）又は２）記載の土木建築用安全防護マット
４）  前記発泡樹脂層の一層の厚みを１３ｍｍ以上とし、それを４層以上使用し、又前記織布層としてアラミド繊維のシートを１０枚以上重ねたものを使用した、前記１）〜３）いずれか記載の土木建築用安全防護マット
５）  前記積層体に、樹脂強化紙を１５枚以上束ねた捕捉紙層Ｃを１層又は複数層間装した、前記１）〜４）いずれか記載の土木建築用安全防護マット
６）  前記積層体中に、アルミ・鋼又はそれらを表面加工したエキスパンドメタル板を１枚又は複数枚間装した、前記１）〜５）いずれか記載の土木建築用安全防護マット
７）  包装シートが紙繊維を使用した防炎防水紙又は防炎防水のポリ塩化ビニールシートである、前記１）〜６）いずれか記載の土木建築用安全防護マット
８）  前記１）〜７）いずれか記載の土木建築用安全防護マットを、ピアノ線を用いた緊張部材の飛散予想方向の現場空間位置に仮設した、緊張部材飛散に対する事故防止対策構造
にある。
【考案の効果】
【００１０】
本考案によれば、１０ｍｍ以上の発泡ポリエチレンの発泡樹脂層にアラミド繊維又は炭素繊維を使用した織布を少なくとも５枚以上重ねた織布層を積層したことで、緊張部材の飛び出しに対して刺し込んで、途中でこれを捕捉して緊張部材の貫通を防止でき、より安全性を高めた。
【００１１】
特に、織布層の厚みの合計厚みを３ｍｍ以上とすることで、その捕捉力をより高めることができる。
【００１２】
更には、発泡樹脂層と織布層の他に樹脂強化紙を１５枚以上重ねた捕捉紙層又は及びアルミ・鋼又はそれらを表面加工したエキスパンドメタル板を間装すれば、更にその捕捉力を高めることができる。
【図面の簡単な説明】
【００１３】
【図１】図１は実施例１を示す断面図である。
【図２】図２は実施例２を示す断面図である。
【図３】図３は実施例３を示す断面図である。
【図４】図４は実施例４を示す断面図である。
【図５】図５は本考案の事故防止対策構造を示す説明図である。
【図６】図６は本考案の土木建築用安全防護マットの貫通試験装置を示す説明図である。
【考案を実施するための形態】
【００１４】
本考案の土木建築用安全防護マットの平面形状の寸法は１ｍ×１ｍ程のもので、厚みが３０〜７０ｍｍ程度のものが使い易い寸法である。これら寸法は、その貫通させない用途目的及び他の介在層の厚みによって適宜決められる。
包装シートは樹脂のアタッシュ型又は防炎防水のポリ塩化ビニールのシートが使用できる。
【００１５】
発泡樹脂層と織布層とは、それぞれ１層又は複数層の積層してもよい。複数層にすれば厚くなるが、捕捉力は確実に高くなる。
【００１６】
発泡樹脂層と織布層以外に積層体に間装する素材のものとしては、樹脂強化紙を多数枚束ねた捕捉紙層、アルミ・鋼又はそれらの表面加工したエキスパンドメタル板、ナイロン繊維層がある。
【００１７】
更に、発泡樹脂層としてはエペラン（商標名／株式会社カネカ販売）が一般に使用される。その一層の厚みは１３ｍｍ以上とし、１５ｍｍ程とするのが実用的である。これを４層以上にすることが好ましい。
【００１８】
実施例で使用した捕捉紙層Ｃの樹脂強化紙一枚（７５ｇ／ｍ２）の引裂強度と引張強度は、トラウザー引裂き法，ＪＩＳ−Ｐ８１１３によって試験した結果は下記の表１の通りのものであった。
【００１９】
【表１】
0003205923.tif 000003
【００２０】
上記捕捉紙層は、上記樹脂強化紙を１５枚以上束ねたものを使用することが好ましい。
【実施例】
【００２１】
以下、本考案の図１〜４に示す種々の積層構造の実施例１〜４を図面に基づいて説明する。
【００２２】
（実施例１）
図１に示す実施例１の土木建築用安全防護マットＧ１は、縦横が略１ｍ×１ｍの平面形状の発泡ポリエチレンの発泡樹脂層Ａ１としてエペラン（商標名／株式会社カネカ販売）の樹脂を使用して、一層１５ｍｍ厚みで４層設けている。又、同じ平面形状寸法の織布層Ｂ１として２方向アラミド繊維シートのアラミド繊維による織布シート１０枚重ねて４ｍｍ厚みとしたものを１層使用し、同織布層Ｂ１の前後に発泡樹脂層Ａ１を介して樹脂強化紙（キャッチシート）を１５枚重ねて束ねた３ｍｍ厚みの捕捉紙層Ｃ１を２層設け、積層体の厚みの合計を７０ｍｍとし、これをＰＶＣカバーの包装シートＨ１で包被させた例である。
【００２３】
（実施例２）
図２に示す実施例２の土木建築用安全防護マットＧ２は、前記実施例１と同じ平面形状寸法で発泡樹脂層Ａ２として前記エペランの樹脂を一層１５ｍｍ厚みのものを４層設けている。同発泡樹脂層Ａ２に挟まれるように織布層Ｂ２１，Ｂ２２を間装している。この織布層Ｂ２１，Ｂ２２は２方向アラミド繊維シートのアラミド繊維を使用した織布シートを７枚重ねた３ｍｍ厚みのものと８枚重ねた４ｍｍ厚みのものである。
又、前方に発泡樹脂層Ａ２の間に樹脂強化紙（キャッチシート）を１５枚重ねて束ねた３ｍｍ厚みのした捕捉紙層Ｃ２を設け、積層体の厚みの合計７０ｍｍとしてＰＶＣカバーの包装シートＨ２で包装した例である。
【００２４】
（実施例３）
図３に示す実施例３の土木建築用安全防護マットＧ３は、前記と同じ平面形状寸法で発泡樹脂層Ａ３として前記エペランの樹脂を一層１５ｍｍ厚みのものを４層設けている。同発泡樹脂層Ａ３に前後が挟まれるように炭素繊維シートのシートを５枚重ねた２．５ｍｍ厚みの織布層Ｂ３を２個所間装している。又、前記エペランの発泡樹脂層Ａ３に挟まれるように樹脂強化紙（キャッチシート）を２０枚重ねて束ねた５ｍｍ厚みの捕捉紙層Ｃ３を設け、積層体厚み合計７０ｍｍとし、これらをＰＶＣカバーの包装シートＨ３で包装した例である。
【００２５】
（実施例４）
図４に示す実施例４の土木建築用安全防護マットＧ４は、前記と同じ平面形状寸法の前記エペランを使用した各層１５ｍｍの発泡樹脂層Ａ４を３層使用し、同発泡樹脂層Ａ４の間にアラミド繊維の織布３枚を重ねた織布層Ｂ４１と、前記樹脂強化紙（キャッチシート）１枚の捕捉紙層Ｃ４と、アラミド繊維の織布２枚を重ねた織布層Ｂ４２とを一体化した複合層Ｆを間装し、更にこれらの最前・最後の発泡樹脂層Ａ４の前後にアラミド繊維のシートを２枚重ねた織布層Ｂ４３と、アラミド繊維のシートを３枚重ねた織布層Ｂ４４とを設け、その積層体の厚みの合計を６０ｍｍ程とし、それらをＰＶＣカバーの包装シートＨ４で包装した例である。
【００２６】
これら実施例１〜４の土木建築用安全防護マットＧ１〜Ｇ４は、図５のように建築現場で使用される。図５は本考案の事故防止対策構造を示すもので、図５中１１が本考案の土木建築用安全防護マット（Ｇ１〜Ｇ４）であり、１２がコンクリート構造物、１３が緊張部材であるＰＣ鋼棒、１４が足場部材を用いた取付フレーム、１５がロープである。このように、本考案の安全防護マット１１は現場に足場を組んでＰＣ鋼棒１３の飛散方向の位置の足場の取付フレーム１４に複数個縦横に固定して、ＰＣ鋼棒１３の飛散による事故を防止している。
【００２７】
本考案の土木建築用安全防護マット１１（Ｇ１〜Ｇ４）にＰＣ鋼棒を貫通させる貫通試験装置２０（図６に示している）でもって、その貫通・非貫通のデータを計測する。２１は１０ＭＮ試験機、２２は緊張ジャッキ、２３は飛び出させるＰＣ鋼棒、２３ａはＰＣ鋼棒の先端（直角切断面のままと、これにゴムキャップ装着する２タイプである）、２４は貫通防止の為の畳５枚、２５は安全防護マット１１と畳２４を支持する支持台、２６は被試験体で、本考案の土木建築用安全防護マットでこの７０ｍｍ厚みのものを５個配置する。ＰＣ鋼棒２３の先端２３ａが被試験体の本考案の安全防護マット１１の７０ｍｍマットを５個重ねたものの前面までの距離は、２０００ｍｍである。
【００２８】
上記の貫通試験装置２０を用いて、本考案の土木建築用安全防護マットに対しＰＣ鋼棒２３を衝突速度４８．７ｍ／ｓとなるように飛射させた。
本実施例の安全防護マットＧ１，Ｇ２，Ｇ３，Ｇ４では、従来のエペラン層と捕捉紙層のみのマットに比べ従来のマットが貫通したにもかかわらず、ＰＣ鋼棒は貫通せずマット途中で捕捉され、貫通しなかった。
【産業上の利用可能性】
【００２９】
本考案は、主に緊張部材の飛散に対する安全保護マットとしての例で説明したが、一般的な土木建築現場の飛散物に対する防護マットとして使用できるし、又はダイナマイトを使用する現場の防護マットとしても使用できる。
【符号の説明】
【００３０】
Ｇ１，Ｇ２，Ｇ３，Ｇ４    実施例の土木建築用安全防護マット
Ａ１，Ａ２，Ａ３，Ａ４    発泡樹脂層
Ｂ１，Ｂ２１，Ｂ２２，Ｂ３，Ｂ４１，Ｂ４２，Ｂ４３，Ｂ４４    織布層
Ｃ１，Ｃ２，Ｃ３，Ｃ４    捕捉紙層
Ｆ    複合層
Ｈ１，Ｈ２，Ｈ３，Ｈ４    包装シート
２０    貫通試験装置
２１    １０ＭＮ試験機
２２    緊張ジャッキ
２３    ＰＣ鋼棒
２３ａ    先端
２４    畳
２５    支持台
２６    被試験体
１１    本考案の土木建築用安全防護マット
１２    コンクリート構造物
１３    ＰＣ鋼棒
１４    取付フレーム
１５    ロープ
【図１】
0003205923.tif 000004
【図２】
0003205923.tif 000005
【図３】
0003205923.tif 000006
【図４】
0003205923.tif 000007
【図５】
0003205923.tif 000008
【図６】
0003205923.tif 000009